(57)【要約】【課題】容器体からの不正な取り外しを防止できかつ使い勝手がよい吐出器を提供する。【解決手段】上面開口のポンプシリンダ４内に作動部材８の下半部を昇降自在に挿入してなる吐出器本体２と、容器体１００の口頸部１０２外面へ螺合可能な装着筒部２２を有し、口頸部１０２に装着筒部２２を螺着させたときに、吐出器本体２を容器体１００に装着することが可能に設けた装着部材２０と、前記装着筒部２２の外面へ回転可能に嵌合されたカバー筒部３２を含むカバー部材３０とを具備する。前記装着筒部２２とカバー筒部３２との間に、非係止状態では装着筒部２２に対してカバー筒部３２が空回りし、係止状態ではカバー筒部３２を回転させることで、カバー筒部３２と係止された装着筒部２２が回転し、口頸部１０２の外面から螺脱させることが可能な係止機構Ｓを形成した。【選択図】図１
2018090281.tif 000002
【特許請求の範囲】
【請求項１】
上面開口のポンプシリンダ(４)に作動部材(８)の下半部を昇降自在に挿入してなる吐出器本体(２)と、
容器体(１００)の口頸部(１０２)外面へ螺合可能な装着筒部(２２)を有し、口頸部(１０２)に装着筒部(２２)を螺着させたときに、前記ポンプシリンダ(４)を前記口頸部(１０２)内より垂下させた状態で、吐出器本体(２)を容器体(１００)に装着することが可能に設けた装着部材(２０)と、
前記装着筒部(２２)の外面へ回転可能に嵌合されたカバー筒部(３２)を含むカバー部材(３０)と
を具備し、
前記装着筒部(２２)とカバー筒部(３２)との間に、非係止状態では装着筒部(２２)に対してカバー筒部(３２)が空回りし、係止状態ではカバー筒部(３２)を回転させることで、カバー筒部(３２)と係止された装着筒部(２２)が回転し、口頸部(１０２)の外面から螺脱させることが可能な係止機構(Ｓ)を形成しており、
前記係止機構(Ｓ)は、
前記装着筒部（２２）の外周面及びカバー筒部（３２）の内周面のうちの一方周面に形成された縦方向の第１溝(Ｇ１)と、
他方周面に形成された、周方向の環状溝部(ＧＡ)及び環状溝部(ＧＡ)に連続する停留用溝部(ＧＳ)を含む第２溝(Ｇ２)と、
前記第１溝(Ｇ１)に一方半部を、第２溝(Ｇ２)に他方半部をそれぞれ嵌挿させ、第１溝及び第２溝内を各溝が延びる方向へ転動又は摺動可能な係合子（４０）とからなる、
ことを特徴とする、ポンプ式吐出器。
【請求項２】
前記第２溝(Ｇ２)は、前記他方周面の下部に位置する環状溝部(ＧＡ)の一部から上方へ延びて周方向に屈曲する連通溝部(ＧＣ)を設け、この連通溝部(ＧＣ)の先端部から下方へ停留用溝部(ＧＳ)を設けてなることを特徴とする、請求項１記載のポンプ式吐出器。
【請求項３】
前記第２溝(Ｇ２)の連通溝部(ＧＣ)の先端部にストッパ用凸部(Ｂ)を付設し、装着筒部(２２)に対してカバー筒部(３２)を回転させることにより、係合子４０が前記ストッパ用凸部(Ｂ)を乗り越えて連通溝部(ＧＣ)と停留用溝部(ＧＳ)との間を移動するようにしたことを特徴とする、請求項２記載のポンプ式吐出器。
【請求項４】
前記装着部材(２０)は、前記第１内向きフランジ(２６)の内周端から、作動部材(８)が有する吐出ヘッド(１４)を案内するガイド筒部(２８)を起立しており、
前記カバー部材(３０)は、前記カバー筒部(３２)の上端から第２内向きフランジ(３４)を介して、前記ガイド筒部(２８)を囲むスリーブ筒部(３６)を起立したことを特徴とする、請求項１から請求項３のいずれかに記載のポンプ式吐出器。
【発明の詳細な説明】
【技術分野】
【０００１】
本発明は、ポンプ式吐出器に関する。
【背景技術】
【０００２】
通常のポンプは、ネジ式になっており、簡単に開栓して詰め替えが可能になっている。多くの人で使用するホテルや温泉等では、簡単に開栓できてしまうと、容器内に異物などを入れるようないたずらをされることが考えられる。
本出願人は、先に、こうした不都合を解決し得る吐出器及び工具を提案している。
吐出器は、吐出器本体と、容器体の口頸部へ螺合され、螺合状態で容器体に吐出器本体を取り付け可能な装着筒と、装着筒の外側に回転自在に取り付けられた筒状のカバー部材とを備え、装着筒の外面に嵌め合い凹部を、カバ−部材に貫通孔をそれぞれ形成してなる。
工具は、前記貫通孔を介して嵌め合い凹部内へ嵌挿させて吐出器に取り付け可能に形成している。この工具を取り付けた状態でカバー部材を回すことで、カバー部材と装着筒とがとも回りして、容器体から吐出器を取り外すことができ、工具を取り付けていない状態では、装着筒に対してカバー部材が空回りするように構成している（特許文献１）。
【先行技術文献】
【特許文献】
【０００３】
【特許文献１】特開２０１３−２４９１１１
【発明の概要】
【発明が解決しようとする課題】
【０００４】
特許文献１の吐出器及び工具は、ホテルなどの利用客の目に触れる場所に一緒に置いては意味がなく、工具は別の場所に保管しておく必要がある。そして内容物を詰め替えるたびに工具を用意して、吐出器を容器体から取り外す作業をしなければならず、また工具を紛失したりすれば作業ができない。
【０００５】
本発明の目的は、容器体からの不正な取り外しを防止できかつ使い勝手がよい吐出器を提供することである。
【課題を解決するための手段】
【０００６】
第１の手段は、上面開口のポンプシリンダ４内に作動部材８の下半部を昇降自在に挿入してなる吐出器本体２と、
容器体１００の口頸部１０２外面へ螺合可能な装着筒部２２を有し、口頸部１０２に装着筒部２２を螺着させたときに、前記ポンプシリンダ４を前記口頸部１０２内より垂下させた状態で、吐出器本体２を容器体１００に装着することが可能に設けた装着部材２０と、
前記装着筒部２２の外面へ回転可能に嵌合されたカバー筒部３２を含むカバー部材３０と
を具備し、
前記装着筒部２２とカバー筒部３２との間に、非係止状態では装着筒部２２に対してカバー筒部３２が空回りし、係止状態ではカバー筒部３２を回転させることで、カバー筒部３２と係止された装着筒部２２が回転し、口頸部１０２の外面から螺脱させることが可能な係止機構Ｓを形成しており、
前記係止機構Ｓは、
前記装着筒部２２の外周面及びカバー筒部３２の内周面のうちの一方周面に形成された縦方向の第１溝Ｇ１と、
他方周面に形成された、周方向の環状溝部ＧＡ及び環状溝部ＧＡに連続する停留用溝部ＧＳを含む第２溝Ｇ２と、
前記第１溝Ｇ１に一方半部を、第２溝Ｇ２に他方半部をそれぞれ嵌挿させ、第１溝及び第２溝内を各溝が延びる方向へ転動又は摺動可能な係合子４０とからなる。
【０００７】
本手段は、図１及び図５に示すように、装着筒部２２とカバー筒部３２との間に係止機構Ｓを設けることを提案する。この係止機構Ｓは、ガイド筒部２８の内周面と装着筒部２２の外周面との一方周面に設けられた第１溝Ｇ１と、他方周面に設けられた第２溝Ｇ２と、これら両溝に係合する係合子４０とで形成している。第２溝Ｇ２は、装着筒部２２に対するカバー筒部３２の空回りを可能とし、非係止状態を実現する環状溝部ＧＡと、環状溝部ＧＡと連続し、係止状態を実現する停留用溝部ＧＳとを含む。なお、「連続」とは、直接に連続する構造だけでなく、後述の連通溝部を介して連通することを含むものとする。
これにより、ホテルや旅館の従業員など、予め使い方を知っている利用者だけが吐出器を容器体の口頸部から外すことが可能となる。
なお、前記カバー筒部３２は、外側から透視することが不能に形成し、前記ボールの動きを利用者が視認できないようにすることが望ましい。視認できると、ボールと溝の形から、ホテルの利用客でも、吐出器の外し方を理解できてしまう可能性があるからである。
「係合子」は、第１溝及び第２溝に係合させた状態で、カバー筒部の回転力を装着筒部へ伝達することができる程度の剛性を有し、かつ第１溝及び第２溝内を各溝が延びる方向に転動又は摺動できる。例えばボール（球体）や“ころ”などの転動体が該当する。
【０００８】
第２の手段は、第１の手段を有し、
前記第２溝Ｇ２は、前記他方周面の下部に位置する環状溝部ＧＡの一部から上方へ延びて周方向に屈曲する連通溝部ＧＣを設け、この連通溝部ＧＣの先端部から下方へ停留用溝部ＧＳを設けてなる。
【０００９】
本手段では、図３に示すように、第２溝Ｇ２は、前記他方周面の下部に位置する環状溝部ＧＡの一部から上方へ延びて周方向に屈曲する連通溝部ＧＣを設け、この連通溝部ＧＣの先端部の下方へ停留用溝部ＧＳを設けている。
前記係合子４０の一方半部が第１溝Ｇ１に、他方半部が環状溝部ＧＡに係合しているとき［図４の（Ａ１）参照］には、非係止状態である。
吐出器を倒立させ、カバー筒部を回転させると、縦溝部Ｇ１及び連通溝部ＧＣの縦溝部gｃ−Ｖが重なった状態で両溝内に係合子４０が入る［図４（Ｂ１）参照］。
次に倒立状態のままでカバー筒部３２を回転させると、第１溝Ｇ１内に一半部を係合させた係合子４０の他半部は、横溝部gｃ−Ｌ内で転動して［図４（Ｃ１）参照］横溝部の先端部に至り、ここで第１溝部Ｇ１及び停留用溝部ＧＳが重なるので、容器体１００を正立状態とすると、両溝内に係合子４０が入り、係止状態となる。
【００１０】
第３の手段は、第２の手段を有し、
前記第２溝Ｇ２の連通溝部ＧＣの先端部にストッパ用凸部Ｂを付設し、装着筒部２２に対してカバー筒部３２を回転させることにより、係合子４０が前記ストッパ用凸部Ｂを乗り越えて連通溝部ＧＣと停留用溝部ＧＳとの間を移動するようにした。
【００１１】
本手段は、図３に示すように、第２溝Ｇ２の連通溝部ＧＣの先端部にストッパ用凸部Ｂを付設することを提案している。これによって、装着筒部２２に対してカバー筒部３２を回転させることにより、図４の（Ｃ１）に示す状態から、係合子４０が前記ストッパ用凸部Ｂを乗り越えて連通溝部ＧＣと停留用溝部ＧＳとの間を移動するようにしている。
【００１２】
第４の手段は、第１の手段から第３の手段のいずれかを有し、
前記装着部材２０は、前記第１内向きフランジ２６の内周端から、作動部材８が有する吐出ヘッド１４を案内するガイド筒部２８を起立しており、
前記カバー部材３０は、前記カバー筒部３２の上端から第２内向きフランジ３４を介して、前記ガイド筒部２８を囲むスリーブ筒部３６を起立した。
【００１３】
本手段では、図１に示すように、前記装着部材２０は、前記第１内向きフランジ２６の内周端から、作動部材８が有する吐出ヘッド１４を案内するガイド筒部２８を起立している。また前記カバー部材３０は、前記カバー筒部３２の上端から第２内向きフランジ３４を介して、前記ガイド筒部２８を囲むスリーブ筒部３６を起立している。これにより、利用者がガイド筒部２８を指でつまんで直接回転させることができないようにしている。
【発明の効果】
【００１４】
第１の手段に係る発明によれば、装着筒部２２とカバー筒部３２との間に、非係止状態では装着筒部２２に対してカバー筒部３２が空回りし、係止状態ではカバー筒部３２を回転させることで、カバー筒部３２と係止された装着筒部２２が回転し、口頸部１０２の外面から螺脱させることが可能な係止機構Ｓを形成したから、いたずらを効果的に防止できる。
また係止機構Ｓは、カバー筒部３２の内周面と装着筒部２２の外周面とに形成された第１溝Ｇ１及び第２溝Ｇ２とこれら両溝部に係合する係合子４０とで形成され、容器体の向きを変えることにより、係止状態と非係止状態との間の移行が可能となるから、別に工具などを必要とせず、便利である。
第２の手段に係る発明によれば、第２溝Ｇ２は、前記他方周面の下部に位置する環状溝部ＧＡの一部から上方へ延びて周方向に屈曲する連通溝部ＧＣを設け、この連通溝部ＧＣの先端から下方へ停留用溝部ＧＳを設けてなるから、予め係止状態を解除する手順を知らない人間が不正に容器体を装着部材２０を取り外すことが難しい。
第３の手段に係る発明によれば、第２溝Ｇ２の連通溝部ＧＣの先端部にストッパ用凸部Ｂを付設し、装着筒部２２に対してカバー筒部３２を回転させることにより、係合子４０が前記ストッパ用凸部Ｂを乗り越えて連通溝部ＧＣと停留用溝部ＧＳとの間を移動するようにしたから、例えば容器体を倒しても係合子４０を停留用溝部ＧＳ内に保持することができる。
第４の手段に係る発明によれば、装着部材２０のガイド筒部２８をカバー部材３０のスリーブ筒部３６で囲んでいるから、ガイド筒部２８を指でつまんで直接回転させることを防止できる。
【図面の簡単な説明】
【００１５】
【図１】本発明の第１実施形態に係るポンプ式吐出器を側方から見た半断面図である。
【図２】図１の吐出器の要部の正面図である。
【図３】図１の吐出器の主要部材の正面図である。
【図４】図１の吐出器の作用状態説明図であり、  同図（Ａ１）は図１の吐出器の非係止状態でのロック機構の状態を正面方向から透視して示す図であり、  同図（Ａ２）は、図（Ａ１）のＡ２ーＡ２方向から見た部分断面図であり、  同図（Ｂ１）は図１の吐出器が非係止状態から係止状態へ移行する途中でボールが連通溝に入った段階でのロック機構の状態を正面方向から透視して示す図であり、  同図（Ｂ２）は、図（Ｂ１）のＢ２−Ｂ２方向から見た部分断面図であり、  同図（Ｃ１）はボールがストッパ凸部を乗り越える直前の段階でのロック機構の状態を正面方向から透視して示す図であり、  同図（Ｃ２）は、図（Ｃ１）のＣ２−Ｃ２方向から見た部分断面図であり、  同図（Ｄ１）はボールが停留用溝部に入った状態（係止状態）でのロック機構の状態を正面方向から透視して示す図であり、  同図（Ｄ２）は、図（Ｄ１）のＤ２−Ｄ２方向から見た部分断面図である。
【図５】本発明の第２実施形態に係る吐出器を側方から見た半断面図である。
【発明を実施するための最良の形態】
【００１６】
図１から図４は、本発明の第１実施形態に係るポンプ式吐出器を示している。このポンプ式吐出器は、吐出器本体２と、装着部材２０と、カバー部材３０とで構成されている。これら各部材は、例えば合成樹脂材や金属で形成することができる。
【００１７】
吐出器本体２は、ポンプシリンダ４とロッド部材６と作動部材８とで形成されている。
【００１８】
前記ポンプシリンダ４は、シリンダ周壁の上端部に鍔部４ｅを有する。
シリンダ周壁の上部は大径周壁部４ａに、またその下部は小径周壁部４ｂにそれぞれ形成されており、この小径周壁部から下端小径のテーパ状部４ｃを介して取付筒部４ｄを垂下している。この取付筒部には、吸上げパイプＵの上部を取り付けている。ポンプシリンダ４内にはボール弁が挿入されており、このボール弁とテーパ状部４ｃとで第１逆止弁Ｖ１を形成している。もっとも第１逆止弁Ｖ１の構造は適宜変更することができる。また大径周壁部４ａには、後述のピストン部材１２の下端より下方に位置する上側通気孔ｈ１と、後述の小径ピストン１０ａより上方に位置する下側通気孔ｈ２とを設けている。
【００１９】
前記ロッド部材６は、前記ポンプシリンダ４内に挿入されている。ロッド部材６の下端部には複数の係止リブ６ｃが放射状に付設されており、これら係止リブをポンプシリンダ４の下部内面に当接することでロッド部材６の起立状態を維持している。また図示のロッド部材６は、下部を大径部６ａに、上部を小径部６ｂにそれぞれ形成している。
【００２０】
前記作動部材８は、本実施形態において、プランジャ１０と、ピストン部材１２と、吐出ヘッド１４とで構成している。  
【００２１】
前記プランジャ１０は、本実施形態において、下半部が下端開口の筒形状であり、上半部が棒状の部材である。その筒壁の下端部は、前記ポンプシリンダ４の内面を摺動可能な環状の小径ピストン１０ａに形成されている。またその筒壁の筒穴１０ｂには、前記ロッド部材６の上部が挿入されている。また筒穴１０ｂの上部からプランジャ１０の外面へ連通する連通孔１０ｃを開通している。プランジャ１０の下端部とロッド部材６の下端部の係止リブ６ｃとの間にはコイルスプリングＴを介装している。
【００２２】
前記ピストン部材１２は、前記プランジャ１０の上部に嵌合されている。ピストン部材１２の上部には、小径ピストン１０ａより径の大きい大径ピストン１２ａが形成されており、またピストン部材１２の下端部は前記ポンプシリンダ４の上部に嵌合されている。ピストン部材１２の上半部内面とプランジャ１０の上半部外面との間には、前記連通孔１０ｃと連続してプランジャ１０上方へ連絡する液体流路Ｌが形成されている。
【００２３】
前記吐出ヘッド１４は、ヘッド頂壁１４ａの中央部裏面から取付筒部１４ｂを、またヘッド頂壁１４ａの外周部からヘッド周壁１４ｃをそれぞれ垂下しており、前記取付筒部１４ｂとピストン部材１２とを接続する筒状ジョイント１６を有する。
【００２４】
前記筒状ジョイント１６は、取付筒部１４ｂ内に嵌合させた小径の差込筒部１６ａの下端部から、鍔状の拡径部を介して、大径シリンダ部１６ｂを垂下している。大径シリンダ部内には、大径ピストン１２ａが嵌合されている。また大径シリンダ部の外面は、後述の装着部材２０のガイド筒部２８内に昇降可能かつ抜け出し不能に嵌合させている。前記差込筒部１６ａの下端部とプランジャ１０の上端部とで第２逆止弁Ｖ２が形成されている。
【００２５】
前記ヘッド周壁１４ｃには、前方に開口する吐出孔Ａを形成する。この吐出孔Ａは、前記取付筒部１４ｂの内部へ連通させる。吐出孔Ａは、本実施形態では、液体を霧としてスプレーするものとしている。
【００２６】
吐出器本体２は、後述の装着部材２０を介して容器体１００の口頸部１０２に装着される。説明の便宜上、ここで吐出器本体２の作用を説明する。
前記装着状態で、吐出ヘッド１４を押し下げると、まずポンプシリンダ４に対して作動部材８の全体がコイルスプリングＴの上方付勢力に抗して下降する。第１逆止弁Ｖ１が閉じているので、作動部材８の下降により、ポンプシリンダ４の内部及びポンプシリンダと連通する大径シリンダ部１６ｂの内部で圧力が上昇し、ポンプシリンダ４と大径シリンダ部１６ｂとの径差により、吐出ヘッド１４に対してプランジャ１０及びピストン部材１２が下降して、第２逆止弁Ｖ２が開く。これにより、吐出ヘッド１４の吐出孔Ａから液体が吐出される。
前記押し下げを解放すると、コイルスプリングＴの上方付勢力により、プランジャ１０及びピストン部材１２がポンプシリンダ４に対して上昇し、ポンプシリンダ４と大径シリンダ部１６ｂの内部が負圧化するので、第２逆止弁Ｖ２が閉じるとともに、第１逆止弁Ｖ１が開き、容器体１００内の液体が吸い上げられる。
【００２７】
装着部材２０は、容器体１００の口頸部１０２外面に螺合可能な装着筒部２２と、装着筒部２２の上端部に付設させた第１内向きフランジ２６とを有している。
装着部材２０は、前記装着筒部２２を口頸部１０２の外面に螺合させた状態で、口頸部１０２の頂端面と第１内向きフランジ２６の下面との間にポンプシリンダ４の鍔部４ｅをパッキンＰとともに挟持させることにより、吐出器本体２を容器体１００に装着することができる。
本実施形態では、さらに前記第１内向きフランジ２６の内周から、大径シリンダ部１６ｂの昇降を案内するガイド筒部２８が起立されている。もっともこれらの構造は適宜変更することができるものとし、吐出器本体２の構成次第では、ガイド筒部２８は省略しても構わない。
装着筒部２２の内面には、ネジ溝が設けられ、容器体１００の口頸部１０２の外面に螺合可能に形成している。また装着筒部２２の外面上部には環状の補助溝２４が形成されている。
【００２８】
カバー部材３０は、前記装着筒部２２の外面に回転可能に嵌合されたカバー筒部３２と、カバー筒部３２の上端に付設された第２内向きフランジ３４とを有し、第２内向きフランジ３４の内周から、前記ガイド筒部２８の周りを囲むスリーブ筒部３６を起立している。
前記カバー筒部３２の上部内面には、前記補助溝２４に嵌合される抜止め用リブ３３が形成されている。
なお、カバー部材３０は、後述のボールの動きを透視できないように不透明に形成されている。“不透明に形成する”とは、カバー部材を不透明な材料で形成すること、及び、カバー部材の表面を不透明な層で覆うことを含む。
【００２９】
前記装着筒部２２及びカバー筒部３２との間には図１に示す係止機構Ｓを設ける。
この係止機構Ｓは、装着筒部２２及びカバー筒部３２の対抗面にそれぞれ形成された、第１溝Ｇ１及び第２溝Ｇ２と、これら両溝に係合された、係合子であるボール４０とからなる。
本実施形態において、第１溝Ｇ１は、図１に示すように、カバー筒部３２の内周面において、前記抜止め用リブ３３より下方に位置して形成されている。第１溝Ｇ１は、一本の縦溝として形成されており、図示例では、抜止め用リブ３３の直ぐ下からカバー筒部３２の下縁まで延びており、下方に開口している。
第２溝Ｇ２は、前記補助溝２４の下方に形成されている。本実施形態の第２溝Ｇ２は、図３に示す環状溝部ＧＡと連通溝部ＧＣと停留用溝部ＧＳとで形成されている。
環状溝部ＧＡは、装着筒部２２の下端寄りに周設されており、後述の如く、ボール４０が周方向に自由に動くことを可能にする。
連通溝部ＧＣは、環状溝部ＧＡと停留用溝部ＧＳとを連通させる役割を有し、本実施形態では上方へ延びた後に横方向へ屈曲する逆Ｌ字形に形成されている。すなわち、連通溝部ＧＣは、環状溝部ＧＡの周方向の一部から上方へ延びる縦溝部gｃ−Ｖと、縦溝部の上端から横方向へ延びる横溝部gｃ−Ｌとで形成されている。
停留用溝部ＧＳは、前記連通溝部ＧＣの先端から下方へ延びている。
前記環状溝部ＧＡから連通溝部ＧＣに入る入り口部分と、縦溝部gｃ−Ｖから横溝部gｃ−Ｌへ至る曲がり箇所（第１屈曲部Ｃa）と、横溝部gｃ−Ｌから停留用溝部ＧＳへ至る曲がり箇所（第２屈曲部Ｃb）では、それぞれの角部にＲを付して（丸めて）、ボールの移動をスムーズにしている。
前記横溝部gｃ−Ｌの適所に（図示例では停留用溝部ＧＳ寄りの端分部）には、ストッパ用凸部Ｂを設ける。このストッパ用凸部Ｂは、ボール４０が当該ストッパ用凸部に突き当たったときに、利用者が装着筒部２２に対してカバー筒部３２を回転操作することにより、ボール４０がストッパ用凸部Ｂを乗り越えるように、回転操作をしないときには、ボール４０がストッパ用凸部Ｂを乗り越えないように形成する。
ボール４０は、その一方半部を前記第１溝Ｇ１内に、他方半部を前記第２溝Ｇ２内にそれぞれ嵌挿させている。なお、ボールの代わりの転動体、例えばコロを用いてもよい。
本実施形態では、図１に示すように、一本の環状溝部ＧＡの反対側の２箇所（図示例では前後２箇所）にそれぞれ連通溝部ＧＣを設け、かつ各連通溝部と連続する停留用溝部ＧＳを設けている。もっとも連通溝部及び停留用溝部の数及び位置は適宜変更することができる。
また、図示例と異なり、装着筒部２２の外周面に第１溝Ｇ１を、またカバー筒部３２の内周面に第２溝Ｇ２をそれぞれ形成しても構わない。
【００３０】
この構成により、吐出器本体２が正立状態であって、ボール４０が環状溝部ＧＡ内にあるとき［図４の（Ａ１）参照］には、非係止状態であり、カバー部材３０を回転させても、装着部材２０に対してカバー部材３０は空回りするので、装着部材２０を口頸部１０２から螺脱させることができない。
次に図４の（Ａ１）の状態から吐出器本体２を倒立状態にして、カバー筒部３２を回転させる。このときにボール４０は第１溝Ｇ１の縦溝部gｃ−Ｖと環状溝ＧＡ内にある。前記回転により、第１溝Ｇ１の縦溝部gｃ−Ｖと第２溝Ｇ２の連通溝ＧＣとの位置が一致し、ボール４０が連通溝部ＧＣの縦溝部gｃ−Ｖに入り［図４の（Ｂ１）参照］、縦溝部gｃ−Ｖと横溝部gｃ−Ｌとの第１屈曲部Ｃaまで落下する。
環状溝部ＧＡから縦溝部への入口にはＲが付されているため、ボール４０が縦溝部ｇｃ-Ｖ内へ案内され易い形状となっている。
次に倒立状態のままでカバー筒部３２を回転させることによりボール４０を横溝部gｃ−Ｌ内で移動させる［図４の（Ｃ１）参照］。その途中でボール４０が、ストッパ用凸部Ｂに突き当たるが、その状態でさらにカバー筒部３２を開方向に回転させるとボール４０がストッパ用凸部Ｂを乗り越え、そしてボール４０が第２屈曲部Ｃｂに到達したときに、容器を正立状態に戻すと、相互に重なる停留用溝部ＧＳ及び第１溝ＧＳ内にボール４０が入り、係止状態となる。この状態でカバー筒部３２を回すと、カバー筒部３２とともに装着筒部２２が回転し、装着筒部２２を口頸部１０２から螺脱させることができる。そこで容器体内に新たな内容物を充填することができる。
以上の操作はそれぞれ単純であるため、正しい手順を知っている者にとっては、若干手探りで手順を進める必要があるが、手順を実行することは容易である。しかしながら、手順を知らない人間にとっては、容器体から装着部材２０及びカバー部材３０を外すことは困難である。
【００３１】
以下、本発明の他の実施形態を説明する。これらの説明において第１実施形態と同じ構成に関しては解説を省略する。
【００３２】
図５は、本発明の第２実施形態に係る吐出器を示す。この実施形態は、吐出器本体２の形態を従来公知の他の形態に変更したものである。
【００３３】
本実施形態の吐出器本体２は、ポンプシリンダ４と、ロッド部材であるポペット弁体６と、抜け止め筒５と、作動部材８とで構成されている。
本実施形態のポンプシリンダ４は、小径周壁部４ｂの内面からテーパ状部４ｃに亘って、複数の縦リブ４ｆを縦設している。各縦リブ４ｆの内面に形成された上向き段部４ｇと後述の弁座板部９ｂの裏面との間には、コイルスプリングＴが介装されている。
前記ポペット弁体６は、作動部材８の下部と連係させて、ポンプシリンダ４の下半部内に挿入されている。図示例ではポペット弁体６の下半部から放射状に突出する係止リブ６ｃを、前記縦リブ４ｆ同士の間に挿入させている。ポペット弁体６は、作動部材８との摩擦力により作動部材８に追従して、係止リブ６ｃがコイルスプリングＴの下端に当接する状態と、ポペット弁体６の下端がテーパ状部４ｃに当接する状態との間で昇降するように形成する。ポペット弁体６の下端とテーパ状部４ｃの内面とで第１逆止弁Ｖ１を形成する。
抜け止め筒５は、前記ポンプシリンダ４の上端部に嵌着している。
本実施例の作動部材８は、プランジャに代えてステム１１を有し、さらにピストンガイド９を有する
ピストンガイド９は、ポンプシリンダ４の上半部に挿入されており、縦向きのガイド筒部９ａの下端から、側外方へ突出するリング状の弁座板部９ｂを介して、脚筒部９ｃを外下方へ延設している。図示例では弁座板部９ｂと脚筒部９ｃとの間に通液孔９ｄを開口している。ガイド筒部９ａの下端部内面は前記ポペット弁体６の上端部で閉塞している。
ステム１１は、小径筒部１１ａから拡径部１１ｂを介して大径筒部１１ｃを垂下してなり、小径筒部１１ａの下部を前記ガイド筒部９ａの外面に嵌合させている。その小径筒部１１ａの残りの部分は、ポンプシリンダ４の上方へ延出しており、また前記大径筒部１１ｃは、ポンプシリンダ４内へ前記抜け止め筒５よりも下側へ挿入している。
図示例では、前記小径筒部１１ａ内に、ガイド筒部９ａと当接して液体通路Ｌを形成するための複数の縦リブｒを設けている。この構成は適宜変更することができる。
ピストン部材１２は、前記弁座板部９ｂと大径筒部１１ｃとの間にポンプシリンダ４内面に沿って摺動可能に挿入している。
図示例のピストン部材１２は、外筒部１２ｃ及び内筒部１２ｄの上下方向の中間部を連結部１２ｅで連結させた筒状ピストンに形成し、外筒部１２ｃの上端部及び下端部がポンプシリンダ４の内面に接している。内筒部１２ｄの上端部はステム１１の大径筒部１１ｃ内面に摺接している。また内筒部１２ｄの下端は、弁座板部９ｂの上面に当接可能として、弁座板部９ｂとの間に第２逆止弁Ｖ２を形成している。
吐出ヘッド１４は、前記ステム１１の上端部に取り付けている。吐出ヘッド１４の裏面中央部からは取付筒部１４ｂを、また裏面外周部からはヘッド周壁１４ｃをそれぞれ垂下している。前記取付筒部１４ｂは、前記ステム１１の上端部に連結している。
【００３４】
前記構成において、吐出ヘッド１４を押し下げると、作動部材８と連動してポペット弁体６が下降して第１逆止弁Ｖ１が閉じる。また作動部材８のステム１１及びピストンガイド９に比べてピストン部材１２が遅れて下降するために、第２逆止弁Ｖ２が開き、ポンプシリンダ４内の液体が液体通路Ｌを介して吐出ヘッド１４から噴霧される。吐出ヘッド１４の押下げを解放すると、作動部材８のステム１１及びピストンガイド９がピストン部材１２に先行して上昇するために第２逆止弁Ｖ２が閉じ、またステム１１等に追従してポペット弁体６も上昇するので、第１逆止弁Ｖ１が開く。
【符号の説明】
【００３５】
２…吐出器本体
４…ポンプシリンダ  ４ａ…大径周壁部  ４ｂ…小径周壁部  ４ｃ…テーパ状部
４ｄ…取付筒部  ４ｅ…鍔部  ４ｆ…縦リブ  ４ｇ…上向き段部
５…抜け止め筒
６…ロッド部材（ポペット弁体）  ６ａ…大径部  ６ｂ…小径部  ６ｃ…係止リブ
８…作動部材
９…ピストンガイド  ９ａ…ガイド筒部  ９ｂ…弁座板部
９ｃ…脚筒部  ９ｄ…通液孔
１０…プランジャ  １０ａ…小径ピストン  １０ｂ…筒穴  １０ｃ…連通孔
１１…ステム  １１ａ…小径筒部  １１ｂ…拡径部  １１ｃ…大径筒部
１２…ピストン部材  １２ａ…大径ピストン  １２ｃ…外筒部  １２ｄ…内筒部
１２ｅ…連結部
１４…吐出ヘッド  １４ａ…ヘッド頂壁  １４ｂ…取付筒部  １４ｃ…ヘッド周壁
１４ｄ…ノズル
１６…筒状ジョイント  １６ａ…差込筒部  １６ｂ…大径シリンダ部
２０…装着部材  ２２…装着筒部  ２４…補助溝  ２６…第１内向きフランジ
２８…ガイド筒部  
３０…カバー部材  ３２…カバー筒部  ３３…抜止め用リブ  ３４…第２内向きフランジ  ３６…スリーブ筒部
４０…係合子（ボール）
１００…容器体  １０２…口頸部
Ａ…吐出孔  Ｂ…ストッパ用凸部  Ｃa…第１屈曲部  Ｃb…第２屈曲部
Ｇ１…第１溝  Ｇ２…第２溝  ＧＡ…環状溝部  
ＧＣ…連通溝部  gｃ−Ｖ…縦溝部  gｃ−Ｌ…横溝部  ＧＳ…停留用溝部
ｈ１…上側通気孔  ｈ２…下側通気孔
Ｌ…吐出流路  Ｐ…パッキン  ｒ…縦リブ  Ｓ…係止機構
Ｔ…コイルスプリング  Ｕ…吸上げパイプ
Ｖ１…第１逆止弁  Ｖ２…第２逆止弁
【図１】
2018090281.tif 000003
【図２】
2018090281.tif 000004
【図３】
2018090281.tif 000005
【図４】
2018090281.tif 000006
【図５】
2018090281.tif 000007